(57)【要約】【課題】  １つの撮像部で撮影した画像の上に他の撮像部で撮影した画像を表示する際に、撮影モードに応じて適した位置に表示させることを目的とする。【解決手段】  第１の撮像手段と、第２の撮像手段と、を有する撮像装置であって、静止画撮影モードを設定するモード設定手段と、第１の撮像手段により撮影された画像の上に、第２の撮像手段により撮影された画像を重畳して表示手段に表示するように制御する制御手段と、を有し、制御手段は、モード設定手段により第１の静止画撮影モードに設定された場合は、モード設定手段により第２の静止画撮影モードに設定された場合よりも、第１の撮像手段により撮影された画像の端部から離れた位置に第２の撮像手段により撮影された画像を表示するように制御する。【選択図】  図９
2015126242.tif 000002
【特許請求の範囲】
【請求項１】
第１の撮像手段と、第２の撮像手段と、を有する撮像装置であって、
静止画撮影モードを設定するモード設定手段と、
前記第１の撮像手段により撮影された画像の上に、前記第２の撮像手段により撮影された画像を重畳して表示手段に表示するように制御する制御手段と、を有し、
前記制御手段は、前記モード設定手段により第１の静止画撮影モードに設定された場合は、前記モード設定手段により第２の静止画撮影モードに設定された場合よりも、前記第１の撮像手段により撮影された画像の端部から離れた位置に前記第２の撮像手段により撮影された画像を表示するように制御することを特徴とする撮像装置。
【請求項２】
前記第１の静止画撮影モードにおいて表示される前記第１の撮像手段により撮影された画像と、前記第２の静止画撮影モードにおいて表示される前記第１の撮像手段により撮影された画像は、同じアスペクト比の画像であることを特徴とする請求項１に記載の撮像装置。
【請求項３】
前記制御手段は、前記第２の静止画撮影モードに設定されている場合に、前記第２の撮像手段により撮影された画像を前記第１の撮像手段により撮影された画像の端部に表示するように制御することを特徴とする請求項１または２に記載の撮像装置。
【請求項４】
前記第１の撮像手段により撮影された画像の端部とは、前記第２の撮像手段により撮影された画像が前記第１の撮像手段により撮影された画像の端に接する位置であることを特徴とする請求項３に記載の撮像装置。
【請求項５】
前記第１の撮像手段により撮影された画像の端部とは、前記表示手段に表示される前記第１の撮像手段により撮影された画像のうち、前記第２の撮像手段により撮影された画像を配置可能に設定している領域の端であることを特徴とする請求項３に記載の撮像装置。
【請求項６】
前記第１の撮像手段により撮影された画像の端部とは、前記第２の撮像手段により撮影された画像が前記第１の撮像手段により撮影された画像の端から所定量離れる位置であることを特徴とする請求項３に記載の撮像装置。
【請求項７】
前記制御手段は、前記第１の静止画撮影モードに設定されている場合には、前記第２の撮像手段により撮影された画像を、前記第１の撮像手段により撮影された画像の端部から所定の方向に離れた位置に前記第２の撮像手段により撮影された画像を表示させることを特徴とする請求項３に記載の撮像装置。
【請求項８】
前記第１の静止画撮影モードは、前記第１の撮像手段により撮影された静止画を記録すると共に、前記静止画とは異なるアスペクト比の前記第１の撮像手段により撮影された画像を記録する静止画撮影モードであることを特徴とする請求項１ないし７のいずれか１項に記載の撮像装置。
【請求項９】
前記第１の静止画撮影モードは、前記第１の撮像手段により撮影された静止画を記録すると共に、前記第１の撮像手段により撮影された画像を前記静止画とは異なるアスペクト比の動画として記録する静止画撮影モードであることを特徴とする請求項８に記載の撮像装置。
【請求項１０】
前記制御手段は、前記第１の静止画撮影モードが設定されている場合、前記表示手段により表示される前記第１の撮像手段により撮影された画像のうち、前記静止画と共に記録される画像として記録されない領域を避けた位置に前記第２の撮像手段により撮影した画像を表示するように制御することを特徴とする請求項８または９に記載の撮像装置。
【請求項１１】
前記制御手段は、前記第１の静止画撮影モードが設定されている場合、前記表示手段に表示される前記第１の撮像手段により撮影された画像のうち、前記静止画としても、前記静止画と異なるアスペクト比の画像としても記録される領域に、前記第２の撮像手段により撮影された画像を表示することを特徴とする請求項８または９に記載の撮像装置。
【請求項１２】
前記制御手段は、前記第１の撮像手段により撮影された画像を、前記記録される静止画に対応するアスペクト比で表示することを特徴とする請求項１０または１１に記載の撮像装置。
【請求項１３】
前記第１の静止画撮影モードは、前記第１の撮像手段により撮影される画像の端部に特殊効果を施す静止画撮影モードであり、
前記制御手段は、前記第１の静止画撮影モードが設定されている場合は、前記第１の撮像手段により撮影された画像の前記特殊効果が施される領域を避けた領域に前記第２の撮像手段により撮影された画像を表示するように制御することを特徴とする請求項１ないし７のいずれか１項に記載の撮像装置。
【請求項１４】
前記制御手段は、前記第１の撮像手段により撮影されたスルー画の上に前記第２の撮像手段により撮影されたスルー画を重畳して表示するように制御することを特徴とする請求項１ないし１３のいずれか１項に記載の撮像装置。
【請求項１５】
前記第１の撮像手段により撮影された画像の上に前記第２の撮像手段により撮影された画像を合成するか否かを設定する設定手段を有することを特徴とする請求項１ないし１４のいずれか１項に記載の撮像装置。
【請求項１６】
第１の撮像手段と、第２の撮像手段と、を有する撮像装置の制御方法であって、
前記撮像装置の静止画撮影モードを設定するモード設定工程と、
前記第１の撮像手段により撮影された画像の上に、前記第２の撮像手段により撮影された画像を重畳して表示手段に表示するように制御する制御工程とを有し
前記制御工程では、前記モード設定工程で第１の静止画撮影モードに設定された場合は、前記モード設定工程で第２の静止画撮影モードに設定された場合よりも、前記第１の撮像手段により撮影された画像の端部から離れた位置に前記第２の撮像手段により撮影された画像を、表示するように制御することを特徴とする撮像装置の制御方法。
【請求項１７】
コンピュータを、請求項１ないし１５のいずれか１項に記載の撮像装置の各手段として機能させるためのプログラム。
【請求項１８】
コンピュータを、請求項１ないし１５のいずれか１項に記載の撮像装置の各手段として機能させるためのプログラムを記憶した、コンピュータが読み取り可能な記憶媒体。
【発明の詳細な説明】
【技術分野】
【０００１】
本発明は、複数の撮像部を備えた撮像装置の操作方法とその制御方法に関する。
【背景技術】
【０００２】
互いに反対方向に位置する各被写体を撮像することが可能な撮像装置として、例えば、２つの撮像部を備えるデジタルカメラや携帯電話などが存在する（特許文献１参照）。このような撮像装置では、撮影の指示により２つの撮像部において同時に撮像を行うことができる。
【先行技術文献】
【特許文献】
【０００３】
【特許文献１】特開２０１１−２１７１２１
【発明の概要】
【発明が解決しようとする課題】
【０００４】
被写体（メイン画像）を撮影するだけでなく、撮影者の表情（サブ画像）も同時に記録するために被写体方向とは逆の位置にサブカメラを備えている撮像装置がある。このような撮像装置の機能として、２つのカメラで同時に撮影し、記録時にサブ画像をメイン画像の上に重畳（合成）させてライブ画像を表示したり、記録したりするものがある。
【０００５】
しかし、従来の撮像装置では、サブカメラのライブ画像の配置位置や表示エリアというのは基本的には撮影モードによらず固定位置であった。固定位置が固定であると、多彩な撮影モードをそなえる機器については、撮影モードによっては使いにくくなる場合がある。
【０００６】
そこで、本発明は、１つの撮像部で撮影した画像の上に他の撮像部で撮影した画像を表示する際に、撮影モードに応じて適した位置に表示させることにより、ユーザの使い勝手を向上させることを目的とする。
【課題を解決するための手段】
【０００７】
上記目的を達成するため、本発明の撮像装置は、
第１の撮像手段と、第２の撮像手段と、を有する撮像装置であって、
静止画撮影モードを設定するモード設定手段と、第１の撮像手段により撮影された画像の上に、第２の撮像手段により撮影された画像を重畳して表示手段に表示するように制御する制御手段と、を有し、制御手段は、モード設定手段により第１の静止画撮影モードに設定された場合は、モード設定手段により第２の静止画撮影モードに設定された場合よりも、第１の撮像手段により撮影された画像の端部から離れた位置に第２の撮像手段により撮影された画像を表示するように制御することを特徴とする。
【発明の効果】
【０００８】
１つの撮像部で撮影した画像の上に他の撮像部で撮影した画像を表示する際に、撮影モードに応じた位置に他の撮像部で撮影した画像が表示されるため、ユーザの使い勝手が向上する。
【図面の簡単な説明】
【０００９】
【図１】デジタルカメラ１００の外観の一例を示す図である。
【図２】デジタルカメラ１００のハードウェア構成の一例を示す図である。
【図３】デジタルカメラ１００の起動から終了までの基本フローチャートである。
【図４】メイン画像とサブ画像を重畳して表示する場合の例である。
【図５】デジタルカメラ１００撮影モードでの処理を示すフローチャートである。
【図６】デジタルカメラ１００のサブカメラを使用する撮影モードでの処理を示すフローチャートである。
【図７】デジタルカメラ１００のダイジェストモードでの処理を示すフローチャートである。
【図８】デジタルカメラ１００のデュアルショットモードでの処理を示すフローチャートである。
【図９】サブのライブ画像の表示位置の決定処理を示すフローチャートである。
【図１０】メイン画像にサブ画像を重畳して表示する表示位置を説明するための図である。
【図１１】サブのライブ画像の表示位置の決定処理を示すフローチャートである。
【図１２】デジタルカメラ１００においてダイジェストモードおよびデュアルショットモードで記録される動画または静止画を示す図である。
【発明を実施するための形態】
【００１０】
（第１の実施形態）
以下、図面を参照して本発明の好適な実施形態を説明する。
【００１１】
図１に本発明の撮像装置の一例としてのデジタルカメラの外観図を示す。表示部２８は画像や各種情報を表示する表示部である。シャッターボタン６４は撮影指示を行うための操作部である。モード切り替えダイアル６０は各種モード設定を切り替えるための操作部である。コネクタ１１２は接続ケーブルとデジタルカメラ１００とのコネクタである。操作部７０はユーザからの各種操作を受け付ける各種スイッチ、ボタン等の操作部材より成る操作部である。コントローラホイール７３は操作部７０に含まれる回転操作可能な操作部材である。７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。サブカメラ１５０は、被写体を撮影している撮影者側を撮影可能なカメラモジュールが設けられている。図１では、表示部２８が設けられているデジタルカメラ１００の背面側の外観図であるが、デジタルカメラ１００の表側の面には、被写体側を撮影するカメラモジュールであるアウトカメラ１０４が設けられている。アウトカメラ１０４とサブカメラ１５０の光軸（撮影方向）は互いに略平行であり、アウトカメラ１０４の光軸（撮影方向）は、サブカメラ１５０の光軸（撮影方向）と逆方向に設定されている。
【００１２】
図２は、本実施形態によるデジタルカメラ１００の構成例を示すブロック図である。
【００１３】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。アウトカメラ１０４は、撮像部２２、シャッター１０１、撮影レンズ１０３、バリア１０２等により構成される。
【００１４】
同様に撮影レンズ１５３はサブカメラ１５０側のズームレンズ、フォーカスレンズを含むレンズ群である。シャッター１５１はサブカメラ１５０側の絞り機能を備えるシャッターである。撮像部１５４はサブカメラ１５０側（撮影者側）の光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力される信号変換だけでなく、同時に撮像部１５４から出力されるアナログ信号をデジタル信号に変換するために用いられる。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。本実施形態においては表示部２８のアスペクト比を４：３として説明する。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。
【００２１】
モード切り替えダイアル６０、操作部７０は、システム制御部５０に各種の動作指示を入力するための操作部として使用される。
【００２２】
モード切り替えダイアル６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、シーンモード、プログラムＡＥモード、カスタムモード、またアウトカメラとサブカメラの両方で撮影可能な複数カメラ同時撮影モード等がある。モード切り替えダイアル６０で、静止画撮影モードに含まれるこれらのモードのいずれかに切り替え、モード設定を変更することができる。あるいは、モード切り替えダイアル６０で静止画撮影モードに一旦切り換えた後に、他の操作部材を用いて、静止画撮影モードに含まれるこれらのモードのいずれかに切り替えるようにしてもよい。アウトカメラとサブカメラの両方で撮影可能な複数カメラ同時撮影モードであるダイジェストモードやデュアルショットモードはこのモード切換えスイッチによって切り替えることが可能である。同様に、動画撮影モードにも複数のモードが含まれていてもよい。デジタルカメラ１００に設けられたシャッターボタン６４の操作途中、いわゆる半押し（撮影準備指示）でＯＮとなり第１シャッタースイッチ信号ＳＷ１を発生する。第１シャッタースイッチ信号ＳＷ１により、アウトカメラ側でＡＦ（オートフォーカス）処理、ＡＥ（自動露出）処理、ＡＷＢ（オートホワイトバランス）処理、ＥＦ（フラッシュプリ発光）処理等の動作（撮影準備処理）を開始する。もしモード切換えスイッチ６０のポジションが複数カメラ同時撮影モードであった場合に１シャッタースイッチ信号ＳＷ１がＯＮとなった場合は、サブカメラ側でもＡＦ処理、ＡＥ処理などの動作（撮影準備処理）を開始する。
【００２３】
シャッターボタン６４の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。ここでもしモード切換えスイッチ６０のポジションが複数カメラ同時撮影モードであった場合は、撮像部１５４からの信号読み出しから記録媒体２００に画像データを書き込むまでに一連の撮影処理を撮像部２２からの一連の処理と同時に行う。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイアル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
図３はデジタルカメラの起動から終了までの基本的な流れを示したフロー図である。
【００２９】
カメラ起動後はＳ３０１へ進む。Ｓ３０１ではモード切り替えダイアル６０の位置により撮影モードかどうかの判定をする。撮影モードであると判定された場合は撮影モードの処理を行い、撮影モードではないと判定された場合はＳ３０２に進む。撮影モード処理については後で詳細を説明する。Ｓ３０２ではモード切換えスイッチ６０の位置により再生モードであるかの判定を行う。再生モードであると判定された場合はＳ３０３へ進み、再生モードではないと判定された場合はＳ３０４に進む。Ｓ３０３では再生モードの処理を行う。ここでいう再生モードの処理とは、画像閲覧や、拡大表示、画像を消去する処理などが含まれる。Ｓ３０４ではその他の処理を行う。ここでいうその他の処理とは、現在時刻を表示するだけの時計表示モードでの処理などがあげられる。それぞれのモード処理が終了するとＳ３０５へ進み、カメラ動作をシャットダウンさせるか否かの判定を行う。シャットダウンさせると判定された場合はカメラ動作を終了し、シャットダウンしない場合はＳ３０１へ進む。
【００３０】
＜ダイジェストモード、および、デュアルショットモードの説明＞
デジタルカメラ１００では、アウトカメラとサブカメラの両方で撮影可能な静止画撮影モードとして、ダイジェストモードと、デュアルショットモードとを有している。
【００３１】
ダイジェストモードは、アウトカメラ１０４で静止画を撮影すると、裏で自動的に撮影時の動画を記録するモードである。このダイジェストモードにおいては、シャッターボタン６４を全押ししたことに応じてアウトカメラ１０４で静止画像を撮影し、記録媒体２００に記録するすると共に、静止画撮影前にアウトカメラ１０４で撮影していた動画も記録する。また、サブカメラ１５０の撮影設定をＯＮにすることで、サブカメラで撮影した画像をアウトカメラで撮影した画像の上に重畳して合成した画像を記録することが可能である。サブカメラの撮影設定がＯＮになっている場合は、ダイジェストモードにおいて記録される動画については、図１２（ａ）のように、アウトカメラ１０４で撮影した画像１２０１の右下に、サブカメラ１５０で撮影した画像１２０２を合成して記録する。実際にはアウトカメラ画像１２０１の端に接するようにサブカメラ画像１２０２を配置せずに、アウトカメラ画像１２０１の端から所定量の画素数（本実施形態では１０画素とする）離れた位置にサブカメラ画像１２０２を配置している。ダイジェストモードにおいて記録する静止画については、図１２（ｂ）のように、サブカメラの画像は合成せずに、アウトカメラで撮影した画像１２０３を記録する。サブカメラの撮影設定がＯＦＦに設定されている場合は、図１２（ｃ）のように、アウトカメラ１０４で撮影した画像１２０１のみが、動画として記録される。記録される静止画については、サブカメラの撮影設定に関わらず、図１２（ｂ）のようにアウトカメラで撮影した画像１２０３が静止画として記録される。また、ダイジェストモードにおいて記録される動画の記録サイズは固定であり、１２８０×７２０画素で、１６：９のアスペクト比を有している。それに対し、静止画は、４０００×３０００画素で、４：３のアスペクト比を有している。これは、動画はテレビやディスプレイに表示して閲覧することが考えられるが、テレビやディスプレイは、１６：９のアスペクト比を有しているものが多いため、１６：９のアスペクト比で記録している。また、ダイジェストモードにおいて撮影された動画は、複数の静止画撮影で得られた動画をつなげて１つの動画ファイルとして記録するため、記録サイズを固定にしている。これに対し、静止画は写真として印刷する用途が多いため、写真のサイズに合わせて４：３のアスペクト比で記録している。本実施形態では、静止画の記録サイズも固定としたが、静止画の記録サイズをユーザの操作により変更可能に構成してもよい。
【００３２】
デュアルショットモードでは、サブカメラの撮影設定はＯＮに固定され、ユーザによる変更は不可となり、このモードでは常にサブカメラ１５０による撮影が行われる。デュアルショットモードでは、シャッターボタン６４が全押しされたことに応じて、アウトカメラ１０４およびサブカメラ１５０による撮影が行われる。そして、図１２（ｄ）のように、アウトカメラ１０４で撮影した画像１２０４の右下にサブカメラ１５０で撮影した画像１２０５が合成され、静止画として記録媒体２００に記録される。実際にはアウトカメラ画像１２０４の端に接するようにサブカメラ画像１２０５を配置せずに、アウトカメラ画像１２０４の端から所定の画素数（本実施形態では１０画素とする）離れた位置にサブカメラ画像１２０５を配置している。デュアルショットモードにおいて記録される静止画の記録サイズは２０４８×１５３６画素（アスペクト比４：３）と決まっており、ユーザは変更できない。これは、デュアルショットモードは、メインカメラとサブカメラを使った静止画撮影をユーザが簡単に行えるようにするためのモードであるため、記録サイズを固定としている。
【００３３】
次に、デジタルカメラ１００での処理について、図５、図６、図７、図８、図９のフローチャートを用いて説明する。なお、これらのフローチャートは、システム制御部５０が不揮発性メモリ５６から読み出したプログラムに基づいて演算処理およびデジタルカメラ１００を各部の制御を行うことにより実現される。
【００３４】
図５は撮影モードにおける基本的な処理の流れを示したフローチャートである。
【００３５】
Ｓ５０１にてサブカメラの撮影設定がＯＮであるか、つまり撮像部１５４を動作させるかの判定を行う。ここでは、デュアルショットモードが設定されている場合と、ダイジェストモードにおいて、サブカメラの撮影設定（または、表示設定）がＯＮに設定されている場合に、サブカメラの撮影設定がＯＮであると判断される。サブカメラの撮影設定がＯＮの場合は、撮像部１５４を動作させると共に、サブカメラ（撮像部１５４）で撮影した画像を表示する位置を決定するためのサブのライブ画表示位置決定処理（Ｓ５０２）に遷移する。なお、Ｓ５０２のサブのライブ画表示位置決定処理については、図９を用いて後に説明する。サブのライブ画表示位置決定処理後は、Ｓ５０３へ進む。Ｓ５０３では、サブ、つまり撮像部１５４で撮影したスルー画を、メイン、つまり撮像部２２で撮影したスルー画に重畳して表示する。ここで、重畳して表示する場合には、メインのスルー画のサブのライブ画表示位置決定処理で決定した位置に、メインのスルー画よりも小さいサイズのサブのスルー画を重畳合成して表示部２８に表示させる。サブのライブ画像を重畳して表示するときのメインのライブ画像に対するサブのライブ画像の位置およびサイズの関係は、サブ画像を合成して記録するときのメイン画像に対するサブ画像の位置およびサイズの関係と同等になるようにする。その後、サブカメラを使用する撮影モード処理（Ｓ５０４）に遷移する。Ｓ５０４のサブカメラを使用する撮影モード処理については図６のフローチャートを用いて後に説明する。そしてＳ５０５へ進む。Ｓ５０１にてサブカメラがＯＮではない場合はＳ５０６へ進む。Ｓ５０６ではメイン、つまり撮像部２２のスルー画（ライブ画）のみを表示部２８に表示する。そしてＳ５０７へ進む。Ｓ５０７ではサブカメラを使わない通常の撮影モード処理を行う。通常の撮影モードとは、メインのスルー画を表示部に表示し、シャット―ボタン６４が押されことに応じてメインカメラで撮影した画像に現像処理、圧縮処理等を行い、記録媒体に記録するモードである。そしてＳ５０５に進む。
【００３６】
Ｓ５０５では撮影モードを終了するかどうかの判定を行う。終了する場合は撮影モードを終了し、終了しない場合はＳ５０１に戻り、撮影モードを継続する。
【００３７】
次に、サブカメラ１５０を使用する撮影モード処理について図６のフローチャートを用いて説明する。
【００３８】
まずＳ６０１にて今選択されている撮影モードがデュアルショットモードであるかどうかの判定を行う。デュアルショットモードであると判定された場合はデュアルショットモードの撮影処理（Ｓ６０２）を行う。デュアルショットモードの撮影処理の説明は後述の図７のフローチャートで説明する。そしてＳ６０３へ進む。Ｓ６０１にて今選択されているモードがデュアルショットモードではないと判定された場合はＳ６０４に進む。Ｓ６０４では今選択されている撮影モードがダイジェストモードであるかどうかの判定を行う。ダイジェストモードであると判定された場合はダイジェストモードの撮影処理（Ｓ６０５）を行う。ダイジェストモードの撮影処理の説明は後述の図８のフローチャートで説明する。そしてＳ６０３へ進む。Ｓ６０３では、サブカメラを使用する撮影モードを終了するかどうかの判定を行う。終了する場合はサブカメラを使用する撮影モードの処理を終了し、終了しない場合はＳ６０１に戻り、サブカメラを使用する撮影モードを継続する。
【００３９】
次に、ライブ画像（スルー画像）表示位置の決定処理について説明する。
【００４０】
サブカメラの撮影設定がＯＮになっている場合、表示部２８にライブ画像（スルー画像）を表示する際には、メインカメラで撮影したライブ画像（メインのスルー画）の上にサブカメラで撮影したライブ画像（サブのスルー画）を重畳して表示する。通常は、図４（ａ）のように、サブ画像４０２は、メイン画像４０１の右下に（画像の端に）寄せて配置される。撮影者は、表示部２８に表示されている画像が記録されると考えているので、記録時に合成される位置と同等の位置にサブのスルー画像を合成して表示する。しかし、ダイジェストモードでは、スルー画を表示させている撮影待機時に、裏で静止画のアスペクトとは異なるアスペクト比の動画を記録している。つまり、図４（ｂ）の４０３の領域は、動画として記録されない領域であるため、サブ画像の一部が欠けた状態で、動画が記録されてしまうことになってしまう。
【００４１】
そのため、本実施形態のデジタルカメラ１００では、サブ画像の表示位置を以下のように決定する。
【００４２】
図９は、サブカメラの撮影設定がＯＮの場合のサブのライブ画表示位置の決定処理を示すフローチャートである。
【００４３】
まずＳ９０１にて、撮影モードがデュアルショットモードであるかダイジェストモードであるかの判定を行う。デュアルショットモードであると判定された場合はＳ９０２へ進み、ダイジェストモードであると判定された場合はＳ９０３に進む。
【００４４】
Ｓ９０２にて、デュアルショットモードにおけるサブのライブ画像の配置を決定する。本実施形態においては、図１０（ａ）のように、サブのライブ画像１０１２は、画面（メインのライブ画像１０１１）の端部に表示するように決定する。本実施形態においては、サブのライブ画像１０１２は、メインのライブ画像１０１１の端部に配置してはいるが、メインのライブ画像１０１１の端から所定量だけ離れた位置に配置している。この表示位置に限らず、メインのライブ画像１０１１の端に接する位置には配置するようにしてもよい。本実施形態では、サブのライブ画像を配置可能な領域として図１０（ｂ）の領域１０１３が設定されている。サブのライブ画像１０１２は、この領域１０１３内に配置可能であるが、通常は、メイン画像１０１１の中央部には被写体が位置していることが多い。そのため、サブのライブ画像１０１２が被写体を覆わないように領域１０１３の端に接するようにサブのライブ画像１０１２を配置するように決定する。また、デュアルショットモードにおいて、サブのライブ画像を配置可能な領域１０１３は、メイン画像１０１１のうち、画像の端から所定量の画素分の領域を除いた全体の領域である。本実施形態では、メイン画像とサブ画像を合成した際のレイアウトのデザイン性を考慮して、メイン画像の端から所定の少量の画素分を除いた領域を配置可能領域としているが、メイン画像１０１１全体を配置可能領域に設定してもよい。Ｓ９０２でサブのライブ画像の表示位置を決定するとＳ９０５へ進む。
【００４５】
Ｓ９０３では、ダイジェストモードにおけるサブのライブ画像の配置位置を決定する。デュアルショットモードでは、図１０（ａ）のようにメインのライブ画像の端部にサブのライブ画像を配置したが、ダイジェストモードでは、図１０（ｃ）のように、メインのライブ画像１０２１の端部から離れた位置にサブのライブ画像１０２２を配置する。ダイジェストモードにおいては、記録される静止画のアスペクト比（４：３）と、記録される動画のアスペクト比（１９：９）が異なっている。そのため、図１０（ｄ）のように、メイン画像１０２１のうち、動画として記録されるのは、領域１０２４のみで、領域１０２５は動画としては記録されない。そこで、サブのライブ画像１０２２は、領域１０２５を避けて、領域１０２４内に配置して表示するようにしている。即ち、サブのライブ画像１０２２は、メインのライブ画像１０２１の図１０（ｃ）中の下側の端部にある領域１０２５を避けて、下側の端部から上方向に離れた位置に配置するように決定する。ダイジェストモードでは、サブのライブ画像を配置可能とする領域１０２３は、領域１０２５を含まない、領域１０２４内の領域としている。ダイジェストモードにおいても、デュアルショットモードと同様に、領域１０２４の端から所定の少量の画素分を除いた領域を配置可能領域としているが、領域１０２４全体を配置可能領域に設定してもよい。
【００４６】
このようにして、デュアルショットモード、ダイジェストモードにおいて表示するサブのライブ画像の表示位置（配置位置）が決定される。そして、ここで決定された表示位置となるように、Ｓ５０３においてメインのライブ画像の上にサブのライブ画像を重畳させて表示する。デュアルショットモードおよびダイジェストモードにおいて記録される静止画のアスペクト比は両方とも４：３である。そのため、デュアルショットモードで表示されるメイン画像１０１１のアスペクト比は４：３であり、ダイジェストモードにおいて表示されるメイン画像１０２１のアスペクト比も４：３でとなる。
【００４７】
このように、本実施形態のデジタルカメラ１００は、デュアルショットモードでは、メイン画像の端部にサブ画像を配置して表示する。それに対し、ダイジェストモードでは、メイン画像の端部ではなく、デュアルショットモード時にサブ画像が表示される端部から、ダイジェストモードの動画が記録される位置まで所定の方向に一定距離離れた位置に、サブ画像を配置して表示している。に表示されるメイン画像１０２１の端から一定距離離間した位置にサブ画像１０２２を配置することで、記録された動画においてサブ画像が中途半端に画像が切られてしまうことがなくなる。また、このような表示を行うことで、静止画として記録されることになるメイン画像を確認しながら、動画に記録されるサブ画像の内容およびメイン画像内に合成されるときの位置を確認することができる。このような表示方法は、アスペクト比の違う複数の画像が記録されるモードのときに効果がある。
【００４８】
本実施形態では、サブのライブ画像をメインのライブ画像の右下の隅に配置すると決定したが、右上に配置してもよい。つまり、配置可能領域の四つの角のいずれかに配置するようにしてもよい。また、角ではなく、配置可能領域の辺にサブ画像が接するように配置してもよい。
【００４９】
また、上述の説明では、図１０で示す位置にサブのライブ画像が表示されるように表示位置を決定した。デフォルトの表示位置を図１０の位置とし、その後、サブのライブ画像の表示位置をユーザの操作に応じて、配置可能領域１０１３または１０２３内で変更可能なように構成してもよい。その場合、変更したサブのライブ画像の表示位置と撮影モードをメモリ３２に記憶しておき、次に、サブのライブ画表示位置の決定処理を行う際には、メモリ３２に記憶しておいた表示位置を読み出し、読みだした表示位置にサブのライブ画像を表示するようにする。ただし、メモリ３２に記憶されている前回サブ画像を表示したときの撮影モードと、現在設定されている撮影モードが異なる場合は、配置可能領域が異なるため、サブのライブ画像の表示位置を調整する。表示位置の調整は、配置可能領域の４つの角の端部領域のうち、サブのライブ画像をメモリ３２から読み出した表示位置から一番近い端部領域にサブのライブ画像が表示されるように表示位置を変更する。デュアルショットモードからダイジェストモードに変更された場合は、サブのライブ画像の表示位置は、メイン画像の端部から離れる方向に移動することになる。そして、ダイジェストモードからデュアルショットモードに変更された場合は、サブのライブ画像の表示位置は、メイン画像の端部へ近づく方向に移動することになる。
【００５０】
本実施形態では、ダイジェストモードにおいて、静止画のアスペクト比は４：３で固定としている。しかし、近年、静止画も動画と同様にテレビやディスプレイによる閲覧を目的として撮影することが増えているため、１６：９のアスペクト比の記録サイズを選択可能としてもよい。
【００５１】
次に、デュアルショットモードの撮影処理について図７のフローチャートを用いて説明する。
【００５２】
まずＳ７０１にて、レリーズスイッチ、つまりシャッターボタン６４が全押しされ、ＳＷ２信号が入力されたかどうかの判定を行う。押されたと判定された場合はＳ７０２へ進み、レリーズスイッチが押されていない場合はＳ７０５へ進む。ここでは、シャッターボタン６４が半押しされＳＷ！信号が入力された場合の処理の説明を省略しているが、その場合は、前述した通り撮影準備処理を行う。レリーズスイッチが押さると、Ｓ７０２ではインカメラおよびアウトカメラで画像を撮影し、撮影した画像の合成、現像処理を行う。つまり、インカメラおよびアウトカメラで撮影した画像を取得し、図１２（ｄ）のように、メインカメラで撮像したメイン画像に対しサブカメラで撮像したサブ画像を重畳合成させたものでＲＡＷ画像を作成する。そして、そのＲＡＷ画像に対し現像処理を行うことで合成画像（静止画）を生成する。本実施形態においては、デュアルショットにおいて記録される静止画は前述したとおりアスペクト比４：３である。また、サブ画像をメイン画像に合成するときの合成位置は、表示部２８に表示されているメインのライブ画像とサブのライブ画像の位置関係（図１０（ａ））と同じになるように合成する。つまり、Ｓ５０２のサブのライブ画像の表示位置決定処理で決定した表示位置にの情報を使用して合成位置を決定する。Ｓ７０３では、撮影後のレビュー表示を行う。デュアルショットの場合は撮影待機中にシャッターボタン６４が全押しされたときのライブ画像と同等の静止画像が記録されるため、表示部２８に表示されるレビュー表示は、図１０（ａ）のような表示となる。ユーザは撮影直後にこのレビュー表示を確認することで実際撮影された静止画がどのような画像かを把握することができる。Ｓ７０４では、Ｓ７０２にて生成した静止画（メイン画像にサブ画像が合成された合成画像）を１つの静止画ファイルとして記録媒体２００に保存する記録処理を行う。このようにＳ７０１〜Ｓ７０４の処理が行われることで、デュアルショットモードにおいてメイン画像とサブ画像を合成した合成画像を生成し記録することが可能となる。合成画像の記録処理が終わるとＳ７０１へ遷移し撮影待機状態となる。
【００５３】
Ｓ７０５では、モード切換えスイッチ６０への操作によって撮影モード設定が変更され、デュアルショットモード以外に切り替えられたかどうかを判定する。切り替えられた場合はＳ７０６で撮影モード変更処理を行い、図５のＳ５０１へ遷移し、撮影モードの初期処理に戻る。切り替えられていない場合はデュアルショットモードを継続し、Ｓ７０７へ進む。Ｓ７０７では撮影設定値が変更されたかどうかを判定する。ここでいう撮影設定値とは、露出値や測光、ＩＳＯ、セルフタイマーのＯＮ・ＯＦＦなどの設定のことを挿す。設定値が変更された場合は、Ｓ７０８へ進み設定値の変更処理を行いＳ７０１へ遷移してデュアルショットモードの撮影待機状態に戻る。設定値が変更されない場合はＳ７０９へ遷移する。Ｓ７０９ではデュアルショットモードを終了するかどうかの判定を行う。終了する場合はデュアルショットモードを終了し、終了しない場合はＳ７０１へ遷移し、デュアルショットモードの撮影待機状態へ戻る。
【００５４】
次に、ダイジェストモードの撮影処理について図８のフローチャートを用いて説明する。
【００５５】
まず撮影待機時においてＳ８０１のメイン画像とサブ画像を合成した合成動画のエンコード処理を行っておく。ダイジェストモードにおいては、Ｓ５０１で判定されたようにサブカメラの状態がＯＮの場合、撮影待機時のシャッターボタン６４を押す前の４秒間に撮影していた動画が静止画と共に記録される。ダイジェストモードにおいて記録する動画は、メイン画像にサブ画像を合成した合成動画である。サブ画像をメイン画像に合成するときの合成位置は、表示部２８に表示されているメインのライブ画像とサブのライブ画像の位置関係（図１０（ｃ））と同じになるように合成する。つまり、Ｓ５０２のサブのライブ画像の表示位置決定処理で決定した表示位置の情報を使用して合成位置を決定する。ただし、図１０（ｃ）で表示されているメイン画像のアスペクト比は４：３であるのに対し、記録する動画のアスペクト比は１６：９であるため、メイン画像の一部の領域（図１０（ｄ）の領域１０２４に対応する領域）の画像を抽出し、その画像にサブ画像を合成して合成動画を生成する。生成した合成動画をエンコードしリングバッファ形式で最大４秒間分をメモリ３２に保持しておく。
【００５６】
次に、Ｓ８０２では、レリーズスイッチ、つまりシャッターボタン６４が全押しされたかどうかの判定を行う。押されたと判定された場合はＳ８０３へ進み、レリーズスイッチが押されていない場合はＳ８０７へ進む。
【００５７】
レリーズスイッチが押された場合、Ｓ８０３において、メインカメラ（撮像部２２は）で静止画を撮影し、撮影した静止画の現像処理を行う。ダイジェストモードで記録される静止画は、インカメラで撮影したサブ画像は合成しないので、現像処理はアウトカメラで撮影したメイン画像に対してのみ行う。前に説明したように、ダイジェストモードで記録する静止画のアスペクト比は４：３で固定とである。その後、Ｓ８０４ではＳ８０３で現像処理を施して生成した静止画を表示部２８に表示するレックレビュー表示処理を行う。Ｓ８０５では、Ｓ８０１にてエンコードし、メモリ３２に記憶しておいたメインとサブの合成動画を、記録媒体２００に記録する処理を行う。そしてＳ８０６に進む。Ｓ８０６では、Ｓ８０３にて現像した静止画を記録媒体２００に１つの静止画ファイルとして記録する記録処理を行う。なお、Ｓ８０５で記録媒体に合成動画を記録する際には、ダイジェストモードで撮影した動画用の動画ファイルに追加する形で合成動画を記録する。つまり、ダイジェストモードでは、静止画はそれぞれ１つの静止画ファイルとして記録されるが、動画については、複数回の撮影で得られた動画が、１つの動画ファイルとして記録される。
【００５８】
このようにＳ８０１〜Ｓ８０６の処理が行われることで、ダイジェストモードにおいて図１２（ａ）合成動画と、図１２（ｂ）に示すような一枚の静止画を記録することが可能となる。なお、サブカメラの撮影設定がＯＦＦになっている場合について説明は省略したが、その場合、Ｓ８０１では、合成動画ではなくアウトカメラで撮影したメイン画像の動画がメモリ３２に記憶される。そして、Ｓ８０５では、メイン画像の動画が記録されることになる。
【００５９】
Ｓ８０６の処理が終わると、Ｓ８０１へ遷移し撮影待機状態となる。
【００６０】
Ｓ８０７では、モード切換えスイッチ６０への操作によって撮影モード設定が変更され、ダイジェストモード以外に切り替えられたかどうかを判定する。切り替えられた場合はＳ８０８で撮影モード変更処理を行い、図５のＳ５０１へ遷移し、撮影モード初期処理に戻る。切り替えられていない場合はダイジェストモードを継続しＳ８０９へ進む。
【００６１】
Ｓ８０９では撮影設定値が変更されたかどうかを判定する。この処理は前述したＳ７０７の処理と同様だが、モード毎によって変更できる撮影設定値が異なる。たとえばダイジェストモードでは前述したようにＳ８０１にて動画をエンコードしているため、露出値や測光値などは固定であったほうが都合がよい。そのためＳ８０９で設定変更はできないようにしている。設定値が変更された場合は、Ｓ８１０へ進み、設定値の変更処理を行いＳ８０１へ遷移してダイジェストモードの撮影待機状態に戻る。設定が変更されない場合はＳ８１１へ遷移する。
【００６２】
Ｓ８１１ではダイジェストモードを終了するかどうかの判定を行う。終了する場合はダイジェストモードの処理を終了し、終了しない場合はＳ８０１へ遷移し、ダイジェストモードの撮影待機状態へ戻る。
【００６３】
（第２の実施形態）
第２の実施形態は、基本的な構成及び処理は第１の実施形態と同じであるため説明は省略する。第２の実施形態は第１の実施形態とサブのライブ画像表示位置決定処理が異なっているので、この処理を図１１のフローチャートを用いて説明する。なお、このフローチャートの処理は、システム制御部５０が不揮発性メモリ５６から読み出したプログラムに基づいて演算処理およびデジタルカメラ１００を各部の制御を行うことにより実現される。
【００６４】
図１１は、サブカメラの撮影設定がＯＮの場合のサブのライブ画表示位置の決定処理を示すフローチャートである。
【００６５】
まずＳ１１０１にて、撮影モードがデュアルショットモードであるかダイジェストモードであるかの判定を行う。デュアルショットモードであると判定された場合はＳ１１０２へ進み、ダイジェストモードであると判定された場合はＳ１１０５に進む。
【００６６】
Ｓ１１０２では、特殊効果をかける設定、特に、画像の端部に特殊効果を×設定がされているかどうかの判定を行う。本実施形態では、デュアルショットモードの際に、画像の端部に特殊ｔ効果をかけて撮影、画像の記録をする設定を行うことが可能である。画像の端部に特殊ｔ効果をかける設定とは、トイカメラ風の四隅の光量を落とした効果（画像処理）をかける設定である。特殊効果モードであると判定された場合はＳ１１０４へ進み、特殊効果をかけるモードではないと判定された場合はＳ１１０３へ進む。
【００６７】
Ｓ１１０３では、特殊効果をかけないデュアルショットモードのときのサブのライブ画像の表示位置を、メイン画像の端部にサブ画像を表示すると決定する。Ｓ９０２と同じ処理であるため、詳しい説明は省略する。
【００６８】
Ｓ１１０５では、ダイジェストモードの場合に、サブ画像が、メイン画像の端部から離れた、静止画も動画も記録される領域に表示されるように、サブのライブ画像の表示位置を決定する。Ｓ９０３と同じ処理であるため、詳しい説明は省略する。
【００６９】
Ｓ１１０４では、画像の端部に特殊効果をかけるモードでのサブのライブの配置を決定する。本実施形態においては、図１０（ｅ）のように、メイン画像１０３１の四隅の領域１０３６に、特殊効果が掛けられる。通常のデュアルショットにおいては、メイン画像の四隅のいずれかに１つの隅にサブ画像が配置されるが、そうしてしまうと、隅に施された特殊効果を確認することができなくなってしまう。そのため、本実施形態では、特殊効果をかける設定がされている場合には、画像の端部ではなく、図１０（ｆ）の、特殊効果が掛けられる領域１０３６を含まない領域１０３３をサブ画像配置可能領域と設定し、この領域内にサブ画像を表示させる。特殊効果がかかる領域１０３６を避けた領域をサブ画像配置可能領域としているため、特殊効果の設定がされている場合は、画像の端部から離れ、領域１０３６を避けた位置にサブ画像が表示される。メイン画像の端から一定距離離間した場所に配置することで、効果のかかる面白みのでる箇所にサブカメラがおかれてしまい確認の妨げになるのを防ぐことが可能である。メイン画像の端部にかけられる効果を表示部２８で確認しつつ、サブ画像も確認することができるようになる。
【００７０】
（その他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態では、本発明を適応した撮像装置を例に説明したが、カメラ付き携帯電話や携帯ゲーム機等で本発明を実施してもよい。また、１つの装置で上述の実施形態の機能を実現せずに、複数の装置、例えば、複数の撮像部を有する撮像装置、表示部を有する表示装置、制御部を有する制御装置を接続したシステムで実施してもよい。また、上述の実施形態の一部を適宜組み合わせてもよい。
【００７１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2015126242.tif 000003
【図２】
2015126242.tif 000004
【図３】
2015126242.tif 000005
【図４】
2015126242.tif 000006
【図５】
2015126242.tif 000007
【図６】
2015126242.tif 000008
【図７】
2015126242.tif 000009
【図８】
2015126242.tif 000010
【図９】
2015126242.tif 000011
【図１０】
2015126242.tif 000012
【図１１】
2015126242.tif 000013
【図１２】
2015126242.tif 000014